(57)【要約】     【課題】  シャンデリア本体を構成する各部材を、身飾品又は宝飾品に利用可能な装飾品部材と飾り電燈部材とから構成し、これを卓上照明器具として利用し、しかも前記装飾品部材を身飾品又は宝飾品に利用することのできる卓上シャンデリアを提供すること。    【解決手段】  シャンデリア本体２を構成する各部材を、身飾品又は宝飾品に利用可能な装飾品部材３と飾り電燈部材４とから構成したことを特徴とする。【選択図】図１
2005158486.tif 000002
【特許請求の範囲】
【請求項１】
シャンデリア本体を構成する各部材を、身飾品又は宝飾品に利用可能な装飾品部材と飾り電燈部材とから構成したことを特徴とする卓上シャンデリア。
【請求項２】
前記シャンデリア本体を構成する身飾品又は宝飾品に利用可能な装飾品部材を取付体に着脱自在に取り付けたことを特徴とする請求項１に記載の卓上シャンデリア。
【請求項３】
前記シャンデリア本体を構成する飾り電燈部材を取付体に着脱自在に取り付けたことを特徴とする請求項１又は２に記載の卓上シャンデリア。
【発明の詳細な説明】
【技術分野】
【０００１】
本発明は、卓上シャンデリアに関し、詳しくは、卓上シャンデリアの構成部材を身飾品又は宝飾品に利用可能な装飾品部材と飾り電燈部材とから構成し、これらの部材を着脱自在とし、取り外し時に身飾品又は宝飾品として利用することができる卓上シャンデリアに関するものである。
【背景技術】
【０００２】
従来、シャンデリアは、洋間に天井から吊り下げた、飾り電燈として、その装飾性豊な豪華さと美しさを誇り、洋の東西を問わず、古くから照明器具として広く用いられてきた。
このシャンデリアを構成する複数の飾り電燈は、その取り付け手段が固定式であって、所望のデザインのシャンデリアに適宜変更できなかった。
【発明の開示】
【発明が解決しようとする課題】
【０００３】
従来のシャンデリアは、洋間に天井から吊り下げた、飾り電燈であるため、広い空間を照明するために、そのサイズは必然的に大きなものであった。しかし、シャンデリアの豪華さと美しさは、人を魅了し、身近な照明器具として、小型化された卓上シャンデリアの開発が強く望まれていた。
【０００４】
また、シャンデリアを構成する複数の飾り電燈は、宝玉を散りばめたようなデザインのものが好まれ、多くのものが宝飾品と見違える程の豪華さと美しさを兼ね備えている。しかし、このシャンデリアを構成する複数の飾り電燈は、その１個１個の取り付け手段が固定式であった。
【０００５】
このため、シャンデリアの各構成部品が着脱自在とされて、所望のデザインのシャンデリアに適宜変更できるように、また、シャンデリアの各構成部品が、１個の独立した身飾品又は宝飾品として利用可能な卓上シャンデリアの開発が強く望まれていた。
【０００６】
この発明の目的は、かかる従来の問題点を解決するためになされたもので、シャンデリア本体を構成する各部材を、身飾品又は宝飾品に利用可能な装飾品部材と飾り電燈部材とから構成し、これを卓上照明器具として利用し、しかも前記装飾品部材を身飾品又は宝飾品に利用することのできる卓上シャンデリアを提供することにある。
【課題を解決するための手段】
【０００７】
この発明に係る卓上シャンデリアは、シャンデリア本体を構成する各部材を、身飾品又は宝飾品に利用可能な装飾品部材と飾り電燈部材とから構成したことを特徴とする。
【０００８】
この発明に係る卓上シャンデリアは、前記シャンデリア本体を構成する身飾品又は宝飾品に利用可能な装飾品部材を取付体に着脱自在に取り付けたことを特徴とする
【０００９】
この発明に係る卓上シャンデリアは、前記シャンデリア本体を構成する飾り電燈部材を取付体に着脱自在に取り付けたことを特徴とする。
【発明の効果】
【００１０】
この発明に係る卓上シャンデリアによれば、シャンデリア本体を構成する各部材を、身飾品又は宝飾品に利用可能な装飾品部材と飾り電燈部材とから構成し、しかも各構成部材を着脱自在としたことより、例えば、装飾品部材をイヤリング、ネックレス、ペンダント、ブローチ、ブレスレット、指輪等の実物の身飾品又は宝飾品により形成することで、外出時等に適宜身飾品又は宝飾品として別途利用することができる。
【００１１】
この発明に係る卓上シャンデリアは、前記シャンデリア本体を構成する身飾品又は宝飾品に利用可能な装飾品部材及び飾り電燈部材を取付体に着脱自在に取り付けたことより、これらの構成部材の取り付け位置を適宜変更することで、身近な照明器具として、所望のデザインの卓上シャンデリアを楽しむことができる。
【００１２】
同様に、前記シャンデリア本体を構成する身飾品又は宝飾品に利用可能な装飾品部材及び飾り電燈部材を適宜別のデザインのものに取り替えることで、更に所望のデザインの卓上シャンデリアを自由に変更して使用することができる。
更に、前記装飾品部材が、実物の身飾品又は宝飾品から構成されていることで、シャンデリアの使命ともいうべきその装飾性豊な豪華さが一層効果的に発揮することができる。
【発明を実施するための最良の形態】
【００１３】
以下、この発明に係る卓上シャンデリア１を、図に示される実施の形態に沿って更に詳細に説明する。図１はこの発明の一実施形態に係る卓上シャンデリア１を示す正面図である。
【実施例１】
【００１４】
この発明に係る卓上シャンデリア１を形成するシャンデリア本体２は、図１から明かなように、身飾品又は宝飾品に利用可能な装飾品部材３と飾り電燈部材４を着脱自在に取り付けてなる取付体５から構成され、前記シャンデリア本体２は、支持枠体６に取り付けられている。
【００１５】
前記シャンデリア本体２を構成する身飾品又は宝飾品に利用可能な装飾品部材３は、取付体５に着脱自在に取り付けられている。図に示される実施の形態においては、装飾品部材３として、イヤリング様のもの示されているが、これに限定されるものではなく、この装飾品部材３を、例えば、イヤリング、ネックレス、ペンダント、ブローチ、ブレスレット、指輪等の実物の身飾品又は宝飾品により形成することで、外出時等において適宜所望の身飾品又は宝飾品として別途利用することができる。
更に、前記装飾品部材３が、実物の身飾品又は宝飾品から構成されていることで、シャンデリアの使命ともいうべきその装飾性豊な豪華さを一層効果的に発揮することができる。
【００１６】
前記シャンデリア本体２を構成する飾り電燈部材４は、取付体５に着脱自在に取り付けられている。図に示される実施の形態においては、飾り電燈部材４として、ロウソク様のもの示されているが、これに限定されるものではなく、一般に使用されている白熱電球、蛍光ランプ等適宜所望の形状の照明器具等により形成することができる。
【００１７】
前記シャンデリア本体２を構成する取付体５は、シャンデリア本体２の骨格を形成するものであり、図に示される実施の形態においては、取付体５として、葡萄の房様のもの示されているが、これに限定されるものではなく、王冠状等適宜所望の形状等に形成することができる。
【００１８】
前記シャンデリア本体２は、支持枠体６に吊り下げられて取り付けられているが、シャンデリア本体２を取り付ける部材としては、前記支持枠体６に限定されるものではなく、例えば、弓形状の支持体の先端部に吊り下げる等適宜所望の形状の支持体等に取り付けることができる。
【図面の簡単な説明】
【００１９】
【図１】この発明の一実施形態に係る卓上シャンデリアを示す正面図である。（実施例１）
【符号の説明】
【００２０】
１  卓上シャンデリア
２  シャンデリア本体
３  装飾品部材
４  飾り電燈部材
５  取付体
６  支持枠体
【図１】
2005158486.tif 000003